(57)【要約】【課題】災害が発生した場合、酸素の吸引を可能にすると共に、自己の位置を報知する等、応急的に用いられる応急救命装置を提供する。【解決手段】応急救命装置は、携帯可能な大きさで内部に収納空間部１１を具備したハウジング１０と、収納空間部１１に設置された酸素収容部２０と、酸素収容部２０の内部に充填された酸素をハウジング外部から吸入可能となるように酸素収容部に連結された酸素吸入部材２１と、ハウジング１０の内部に収容され、酸素収容部２０に充填された酸素が供給されることでハウジング外部に膨張するエアバック２７と、ハウジングの内部に設置された電源発生部１２と、電源発生部１２に連結された作動スイッチ１３と、ハウジング１０の内部に設置され、作動スイッチ１３のＯＮ／ＯＦＦ動作によって作動する警報手段４０とを有する。【選択図】    図１
2004329759.tif 000002
【特許請求の範囲】
【請求項１】
携帯可能な大きさで内部に収納空間部を具備したハウジングと、
前記収納空間部に設置された酸素収容部と、
この酸素収容部の内部に充填された酸素をハウジング外部から吸入可能となるように酸素収容部に連結された酸素吸入部材と、
前記ハウジングの内部に収容され、前記酸素収容部に充填された酸素が供給されることでハウジング外部に膨張するエアバックと、
前記ハウジングの内部に設置された電源発生部と、
この電源発生部に連結され、前記ハウジングに装着された作動スイッチと、
前記ハウジング内部に設置され、前記作動スイッチのＯＮ／ＯＦＦ動作によって作動する警報手段と、
を有することを特徴とする応急救命装置。
【請求項２】
前記ハウジングの内部には、前記作動スイッチのＯＮ／ＯＦＦ動作に基づき、電源発生部からの電流供給を受けて光を外部に発光する電灯が設けられていることを特徴とする請求項１に記載の応急救命装置。
【請求項３】
前記酸素収容部には、酸素残量を確認可能なゲージが設けられていることを特徴とする請求項１又は２に記載の応急救命装置。
【請求項４】
前記酸素吸入部材は、唇が当接可能でスプリングによって付勢された当接部を具備しており、前記当接部をスプリングの付勢力に抗して押し込むことで、酸素が吸入可能となることを特徴とする請求項１乃至３のいずれか１項に記載の応急救命装置。
【請求項５】
前記警報手段は、警報音を発する警報スピーカと、光を発光する発光部とを有することを特徴とする請求項１乃至４のいずれか１項に記載の応急救命装置。
【請求項６】
保管部に収容可能であって、内部に収納空間部を具備したハウジングと、
前記収納空間部に設置された酸素収容部と、
この酸素収容部の内部に充填された酸素をハウジング外部から吸入可能となるように酸素収容部に連結された酸素吸入部材と、
前記ハウジングの内部に設置された電源発生部と、
この電源発生部に連結され、前記ハウジングに装着された作動スイッチと、
前記ハウジング内部に設置され、前記作動スイッチのＯＮ／ＯＦＦ動作によって作動する警報手段と、
を有することを特徴とする応急救命装置。
【請求項７】
前記作動スイッチは、応急救命装置が前記保管部に収納されている状態ではＯＦＦ状態に維持され、応急救命装置が前記保管部から取り出された際にＯＮ状態となることを特徴とする請求項６に記載の応急救命装置。
【発明の詳細な説明】
【０００１】
【発明の属する技術分野】
本発明は、火災等の緊急時に使用される応急救命装置に関する。
【０００２】
【従来の技術及びその課題】
従来、密閉された空間、例えば、地下街、デパート、映画館等の公共施設、或いは地下鉄、航空機、船舶等の乗り物において、火災、浸水等の災害が発生すると多数の被害者が生じていた。例えば、地下鉄内において火災が生じたケースでは、煙によって呼吸困難となり、駅に設置されている非常口に辿り着くことができなかったり、或いは、煙による視界不良によって救命隊員に発見されず、救出できない事態が発生していた。また、密閉された空間で煙が発生した場合、ハンカチやマスク等で呼吸器官を覆っても危機回避するには限界があり、十分な救命効果が得られるとは限られない。
【０００３】
そこで、本発明は、上記したような密閉された空間において、災害が発生した場合、酸素の吸引を可能にすると共に、自己の位置を報知する等、応急的に用いられる応急救命装置を提供することを目的とする。
【０００４】
【課題を解決するための手段】
上記した課題を解決するために、本発明の応急救命装置は、携帯可能な大きさで内部に収納空間部を具備したハウジングと、前記収納空間部に設置された酸素収容部と、この酸素収容部の内部に充填された酸素をハウジング外部から吸入可能となるように酸素収容部に連結された酸素吸入部材と、前記ハウジングの内部に収容され、前記酸素収容部に充填された酸素が供給されることでハウジング外部に膨張するエアバックと、前記ハウジングの内部に設置された電源発生部と、この電源発生部に連結され、前記ハウジングに装着された作動スイッチと、前記ハウジング内部に設置され、前記作動スイッチのＯＮ／ＯＦＦ動作によって作動する警報手段とを有することを特徴とする。
【０００５】
上記した構成の応急救命装置によれば、火災等による煙で呼吸困難となった場合では、酸素吸入部材を咥えることで酸素を吸うことができ、また、水に落ちた場合では、エアバックを膨らませることで浮き輪として利用することが可能となる。また、電源発生部の作動スイッチをＯＮ状態にすることで、警報手段を作動させて、自己の位置を報知させることが可能となる。そして、そのような応急救命装置は携帯可能な大きさに構成されていることから、常時、携行することで災害が発生した場合、直ちに使用することが可能となる。
【０００６】
また、上記した課題を解決するために、本発明の応急救命装置は、保管部に収容可能であって、内部に収納空間部を具備したハウジングと、前記収納空間部に設置された酸素収容部と、この酸素収容部の内部に充填された酸素をハウジング外部から吸入可能となるように酸素収容部に連結された酸素吸入部材と、前記ハウジングの内部に設置された電源発生部と、この電源発生部に連結され、前記ハウジングに装着された作動スイッチと、前記ハウジング内部に設置され、前記作動スイッチのＯＮ／ＯＦＦ動作によって作動する警報手段とを有することを特徴とする。
【０００７】
上記した構成の応急救命装置は、地下街、デパート、映画館等の公共施設、或いは地下鉄、航空機、船舶等の乗り物において、予めラックやキャビネット等の保管部に多数設置されており、そのような場所で災害が生じた際に、非常用として直ちに利用可能となる。
【０００８】
【発明の実施の形態】
図１乃至図５は、本発明に係る応急救命装置の第１の実施形態を示す図であり、図１は、応急救命装置の内部構成を示す図、図２は、応急救命装置を酸素吸入部材側から見た図、図３は、作動スイッチ部分の拡大図、図４は、エアバックを作動させる部分の拡大図、そして、図５は、酸素吸入部材部分の拡大図である。
【０００９】
図１に示すように、本実施形態の応急救命装置は、矩形状で、携帯可能な大きさに構成されたハウジング１０を備えている。このハウジング１０内には、収納空間部１１が形成されており、ここには、酸素が充填される酸素収容部２０が設置されている。酸素収容部２０に充填された酸素は、ハウジングの一側に設けられた管状の酸素吸入部材２１を咥えることで吸引することが可能となっている。
【００１０】
具体的には、酸素吸入部材２１は、図５に示すように、酸素収容部２０に、外部から内部に向けて嵌入するように設置された保持部材２８に形成された嵌合孔内に挿通されると共にシール部材２４によってシールされており、スプリング２９によって常時、外側に向けて付勢保持されている。酸素吸入部材２１の酸素収容部側の一端部には、錘状のバルブ２７が設けられており、酸素吸入部材２１がスプリング２９によって押圧されている状態では、保持部材２８の開口端面に当て付けられて酸素が漏れないようにシールしている。また、酸素吸入部材２１の他端側には、唇が当て付けられる円板状の当接部２３が設けられており、酸素吸入部材２１を咥え込んで、スプリング２９の付勢力に抗して唇で当接部２３を押し込むことで、シール状態を解除することが可能となっている。このとき酸素収容部２０に充填された酸素は、酸素吸入部材２１の開口部に取着された栓部材２２を開放して、咥え込んだ口腔内に流入する。
【００１１】
なお、酸素収容部２０内の酸素は、酸素注入口２６を介して再充填することが可能となっている。また、酸素収容部２０には、内部の酸素残量が確認できるようにゲージ２５を設置しておくことが好ましい。
【００１２】
前記ハウジング１０内には、酸素収容部２０と隣接してエアバック２７が折り重ねられて収容されており、このエアバック２７には、酸素収容部２０内の酸素が供給されることでハウジング外に膨張可能となっている。
【００１３】
具体的には、エアバック２７は、図４に示すように、エアバック２７と酸素収容部２０との間に設けられた酸素供給手段３０によって膨張できるように構成されている。前記酸素供給手段３０は、酸素収容部２０内に延出する筒状のガイド部材３１と、ガイド部材３１の端部開口に装着された遮断膜３１ａと、ガイド部材３１内に挿通される酸素供給管３２と、酸素供給管３２を軸方向に押圧可能とし、表面に凹凸３４が形成された加圧ボタン３３とを備えている。そして、加圧ボタン３３を図の矢印方向に押し込むことで、酸素供給管３２を軸方向に移動させ、これによって、酸素供給管３２の端部に形成された鋭利部が遮断膜３１ａを破り、酸素収容部２０内に充填された酸素は、酸素供給管３２及びその端部に設置されたチェックバルブ３５を介してエアバック２７内に流れ込んで、エアバック２７を膨張させるようになっている。
【００１４】
また、前記ハウジング１０の内部には、電池等の電源発生部１２が設置されている。電源発生部１２には、ハウジング１０に装着された複数の作動スイッチ１３が連結されており、夫々の操作ボタン１３ａをＯＮ／ＯＦＦ駆動することによって、以下に述べる警報手段４０を駆動したり、或いは、電灯５０を点灯させることが可能となっている。
【００１５】
この場合、警報手段４０は、暗闇等で自己の位置を報知できるもの、例えばフラッシュ光を発光する発光部４１と、警報音を発するスピーカ４２とを備えて構成されている。また、電灯５０は、暗闇でもその周囲を照射できるように、半球面状の拡散板５１に設けられており、その表面は、透明な保護カバー１６によって覆われている。
【００１６】
上記したような構成の応急救命装置によれば、常時、携帯することが可能であり、密閉された場所において、火災や浸水のような災害が発生しても、必要最小限の応急救命効果が得られるようになる。すなわち、酸素吸入部材２１を咥え込むことで酸素供給を受けることができ、加圧ボタン３３を押し込むことで、エアバック２７を膨張させ、浮き輪として使用することができ、また、作動スイッチ１３を操作することで、自己の位置を報知したり、暗闇を照らすことができるなど、各種の災害による被害を防止することが可能になる。
【００１７】
次に、図６（ａ）〜（ｃ）、図７、及び図８を参照して、本発明の第２の実施形態を説明する。なお、この実施形態では、上記した実施形態と同様な構成部材については、同一の参照符号を付し、その詳細な説明については省略する。
【００１８】
上記した実施形態は、携帯用に構成されていたが、この実施形態における応急救命装置は、地下街、デパート、映画館等の公共施設、或いは地下鉄、航空機、船舶等の乗り物において、図７に示すように、予めラックやキャビネットのような保管部７０に多数設置されるように構成されている。このような保管部７０は、非常口の近くや目に止まりやすい場所に設置しておくのが良く、災害時に直ちに取り出せるようにしておけば良い。なお、この実施形態における応急救命装置は、エアバックを備えていない構成が示されているが、船舶に設置されるような場合、第１実施形態のように、エアバックを設けておくことが好ましい。
【００１９】
また、本実施形態のように、設置用の応急救命装置の場合、警報手段４０を作動させる作動スイッチ１３は、応急救命装置が保管部７０に収納されている状態ではＯＦＦ状態に維持され、応急救命装置が前記保管部から取り出された際に、必然的にＯＮ状態になるように構成することが好ましい。
【００２０】
具体的には、図８に示すように、作動スイッチ１３をスプリング８０によって常時、外方に向けて付勢しておき、ハウジング１０の表面から突出した状態をＯＮ状態、スプリング８０の付勢力に抗してハウジング１０の表面と面一状に押し込まれた状態をＯＦＦ状態に設定しておけば良い。このように構成することで、ラック収納時には、強制的に作動スイッチ１３が押し込まれてＯＦＦ状態に維持されており、実際に応急救命装置を取り出すと、スプリング８０によって、スイッチ１３がＯＮ状態に維持される。
このような構成によれば、災害が生じた際、非常用として直ちに利用可能となる。
【００２１】
【発明の効果】
以上、本発明の応急救命装置によれば、密閉された空間において、火災等の災害が発生しても、酸素の吸引が可能になると共に、自己の位置を第三者に報知することが可能となり、各種の災害による被害を軽減することが可能になる。
【図面の簡単な説明】
【図１】本発明に係る応急救命装置の第１の実施形態を示す図であり、応急救命装置の内部構成を示す図。
【図２】応急救命装置を酸素吸入部材側から見た図。
【図３】作動スイッチ部分の拡大図。
【図４】エアバックを作動させる部分の拡大図。
【図５】酸素吸入部材部分の拡大図。
【図６】本発明に係る応急救命装置の第２の実施形態を示す図であり、（ａ）は、応急救命装置の内部構成を示す図、（ｂ）は、その右側面図、（ｃ）は、その左側面図。
【図７】応急救命装置を複数、保管部に収容した状態を示す図。
【図８】作動スイッチの動作例を示す図。
【符号の説明】
１０  ハウジング
１１  収納空間部
１２  電源発生部
１３  作動スイッチ
２０  酸素収容部
２１  酸素吸入部材
２７  エアバック
４０  警報手段
７０  保管部
【図１】
2004329759.tif 000003
【図２】
2004329759.tif 000004
【図３】
2004329759.tif 000005
【図４】
2004329759.tif 000006
【図５】
2004329759.tif 000007
【図６】
2004329759.tif 000008
【図７】
2004329759.tif 000009
【図８】
2004329759.tif 000010